(57)【特許請求の範囲】
【請求項１】
箱体と、蓋板とを有する宅配便用商品運搬箱であって、
箱体は、四周面が正面板，背面板及び両側面板によって囲まれた有底の角型中空の箱であり、両側縁に側縁フラップ、前縁に前縁フラップが付設され、
側縁フラップは、前記箱体の両側面板から開口に向けて直角に折曲され、
前縁フラップは、前記箱体の正面板の上縁から開口に向けて直角に折曲されるものであり、前端から突出して鍵部が形成され、
前記鍵部は、軸と歯形とからなり、前縁フラップの前端に連なって一定の幅でその延長方向に張出した部分であり、
前記鍵部の前記軸は前縁フラップの前端に連なって一定の幅でその延長方向に張出した部分であり、
前記鍵部の前記歯形は軸の一側方に一定の長さで鉤形に張出した部分であり、軸上に２つ折に折り重ねて鍵穴内に差込まれ、材質が有する弾力性によって現状に復元しようとして蓋板の裏面側に角度を成して立ちあがった部分が前記鍵穴からの抜け止めとして作用するものであり、
前記蓋板は、前記箱体の前記背面板に連なって取り付けられ、前記箱体の開口上に折りまげて前記箱体の開口を塞ぐものであり、
前記蓋板の板面に、前記前縁フラップの前記鍵部の位置に対応して開口された鍵穴とミシン目とを有し、
前縁フラップは前記箱体の開口を塞ぐ前記蓋板上に折り重ねられ、
前記ミシン目は、前記蓋板の板面の正面中央部分から両側縁にかけて形成され、前記ミシン目に沿って前記蓋板が切り裂かれたときに、切り裂かれた部分が新たな蓋となって前記箱体の開放を可能にするものであることを特徴とする宅配便用商品運搬箱。
【請求項２】
前記鍵穴は、前記蓋板の一部に開口され、前記歯形を軸上に２つ折に折り重ねて差し込むスリットであり、
前記軸の幅の長さをＬ１、前記軸から側方に張出した前記歯形の長さをＬ２としたときに、前記スリットの長さＬはＬ１＜Ｌ＜Ｌ１＋Ｌ２であることを特徴とする請求項１に記載の宅配便用商品運搬箱。
【請求項３】
前記鍵部と前記鍵穴との組は、前記前縁フラップの前縁と前記蓋板の板面とに一定間隔をおいて少なくとも２組以上設けられているものであることを特徴とする請求項１又は２のいずれか１に記載の宅配便用商品運搬箱。
【請求項４】
前記ミシン目は、円弧状の押し開き部分と、円弧状部分の両端につづいて前記蓋板の端縁から両側縁に向けて傾斜状に延びる開蓋部分とを形成するものであり、
押し開き部分は、内側に押しこまれたときに背面板から切り離される部分であり、
開蓋部分は、前記蓋板の一部が切り取られて形成される前記箱体上面の開放部分であることを特徴とする請求項１に記載の宅配便用商品運搬箱。
【請求項５】
前記ミシン目の円弧状の押し開き部分は、前記箱体の前記背面板の板面の中央上部に円弧状に形成され、
前記開蓋部分は、前記背面板の上縁につながる前記押し開き部分の円弧から前記蓋板の板面に続いて形成されているものであることを特徴とする請求項４に記載の宅配便用商品運搬箱。
【発明の詳細な説明】
【技術分野】
【０００１】
本発明は、サプリメント，化粧品，加工食料品などの商品の運搬箱、特にこれら商品の宅配便に適した運搬箱に関する。
【背景技術】
【０００２】
サプリメント，化粧品，加工食料品などの販売は、最近ではいわゆる通販、ネット販売が盛んに利用されるようになってきている。通販の商品の輸送には、従来からダンボール紙を用いた箱（いわゆる段ボール箱）が主として用いられてきた。段ボール箱は、折り畳みが可能であり、保管時には平坦に折り畳み、使用時には立体に組み立て、定型に保形し、箱内に商品を収容したのち施蓋し、粘着テープで止め、配送伝票を貼り付けて宅配業者に託される。
【０００３】
ところで、粘着テープを用いれば、商品販売者側の梱包作業としてその作業について格別問題はないが、開梱時には強い力でテープを引き剥がすか、カッターを用いてテープを切断しなければならず、商品購入者である消費者の事情としてその作業は必ずしも容易でない場合がある。さらには廃棄処分された段ボール箱を回収して資源として再利用するために分別するとき、あるいは水に分解してパルプ化するときには粘着テープを取り除かなければならない。
【０００４】
逆に、使用済みの段ボール箱をそのまま再利用する場合に、粘着テープを剥がすと段ボール箱が傷つくことを問題点として取り上げ、開封のため粘着テープを剥がす時に、粘着テープと共に表ライナーが剥がれる不都合を防止できるシール用粘着テープで傷まない段ボール箱を提案している例がある（特許文献１参照）。
【０００５】
段ボール箱の蓋の開放を防止し、粘着テープを使用することなく蓋の閉塞状態を維持できるようにする試みは特許文献２に記載され、さらに、特許文献３には、特許文献２の蓋の構造を底板に適用した時には底が抜ける不都合があるという問題点を指摘し、粘着テープを用いることなく、底部の閉塞状態を強固に維持することができる段ボール箱を提案している。
【０００６】
しかしながら、特許文献３に記載された段ボール箱は、粘着テープを使用することなく底の閉塞状態を維持できるというだけであって、粘着テープを用いることなく段ボール箱を開くことができないようにしたものではない。
【０００７】
粘着テープは段ボール箱の閉塞状態の維持にとどまらず、引き剥がさない限り段ボール箱を開くことができないという点で段ボール箱をロックする手段であるということができる。もし粘着テープを引き剥がしたときには、新たに粘着テープで塞いでもその痕跡を残すことになる。しかしながら段ボール箱をロックする手段として粘着テープが使用されたときには上記のような問題があり、そもそも商品の梱包に必要な段ボール箱とは異質の化学物質を含む粘着テープを使用しなければならないこと自体が望ましいことではない。
【先行技術文献】
【特許文献】
【０００８】
【特許文献１】特開平７−３１５３６４
【特許文献２】特開平８−１４３０２５
【特許文献３】特開２００４−１５５４３８
【発明の概要】
【発明が解決しようとする課題】
【０００９】
解決しようとする問題点は、段ボール箱のロックに粘着テープを使用したときには、開封の作業，段ボール箱を再生利用する場合の粘着テープを剥がした後処理が厄介であり、そもそも商品の梱包のために２種類の異種の材料を使用すること自体に問題があるという点である。
【課題を解決するための手段】
【００１０】
上記課題を解決するために、本発明による宅配便用商品運搬箱においては、段ボール箱を施蓋後、粘着テープを使用せずに蓋板をロックし、段ボール箱を開くときには、施蓋時とは別に定めた形状に蓋板を切り開くことができるようにした点を最大の特徴とする。
【発明の効果】
【００１１】
本発明による宅配便用商品運搬箱によれば、商品を箱体内に収容し、箱体の開口を蓋板で施蓋し、その上に箱体の前縁フラップを重ね、前縁フラップに設けた鍵部の軸から直角に張出した歯形を二つ折りに折曲して蓋板の鍵穴内に差し込み、箱体内で、段ボール紙の有する弾力性を利用して二つ折りの歯形を軸上に立ち上がらせ、鍵穴内からの鍵の脱出を阻止し、粘着テープによらずに蓋板をロックすることができる。
【００１２】
また、前縁フラップと、蓋板とには鍵と、鍵穴との組を少なくとも２組設けることによって、蓋板のロックを確実に行うことができ、蓋板のロックは、鍵の歯形を軸上に折り重ねて鍵穴内に差し込むだけで良いので、宅配便の集配員はもとより、宅配業者への依頼者であっても簡単に操作することができる。
【００１３】
箱体内の商品を取り出すときには、箱体の蓋板と、正面板との間にまたがって形成されたミシン目に沿って蓋板を切り開くことによって蓋板を箱体から分離することなく箱体を開放することができる。
【００１４】
さらに安全のためには、箱体の上面開口を覆う蓋板と前縁フラップ間にまたがって配送伝票を貼り付けることができれば、鍵穴および蓋板の板面のミシン目の一部が配送伝票の紙面に覆われ、関係者以外は鍵穴やミシン目の部分には手を触れることができず、したがって箱体の無断開放はできないため、商品配送中のセキュリティをより確実に確保できる。
【００１５】
本発明によれば、箱体のロックに粘着テープを使用しないために、使用後は従来のように段ボール箱に粘着テープが残されてそれを剥離しなければならないような問題が生じることがない。したがって、使用済みの段ボール箱は、分別処理を要することなく処分してそのまま段ボールの再生処理を行うことができる。
【図面の簡単な説明】
【００１６】
【図１】本発明の１実施例を示す宅配便用商品運搬箱の斜視図である。
【図２】（ａ）は本発明の１実施例を示す宅配便用商品運搬箱の展開図、（ｂ）は箱に組み立てる要領を示す図である。
【図３】（ａ）〜（ｆ）は組み立てられた宅配便用商品運搬箱の蓋板を開いた状態で箱体内に商品を収容し、蓋板を閉じるまでの手順を示す図である。
【図４】（ａ）〜（ｄ）は、鍵穴内に鍵部を差し込んでロックするまでの要領を順に説明する図である。
【図５】（ａ），（ｂ）はミシン目を切り開くことによって形成された新たな蓋を開く要領を示す図である。
【発明を実施するための形態】
【００１７】
本発明は、箱体内に商品を収納して施錠した後の開放を不能とし、商品の取り出し時には開放を容易に行うという目的を箱体の材質である段ボール紙の有する弾力性を利用してその一部を変形させ、変形後の復元力を利用して箱体を施蓋する蓋板の施錠を行い、開蓋の際には、蓋板の板面には新たな蓋板を形成する分離可能なミシン目を形成したものである。以下本発明の実施の形態について詳細に説明する。
【００１８】
本発明による宅配便用商品運搬箱は、図１に示すように箱体１と、箱体１の一側上縁をヒンジとして開閉可能に連結された蓋板２と、箱体１の開口の前端縁に付設された前縁フラップ３および箱体１の開口の両端に付設された側縁フラップ４，４とからなるものである。箱体１は、上面に開口を有する有底の中空角型の箱である。両側縁フラップ４，４は、先に箱本体１の開口上に折り曲げられ、その上に重ねて前縁フラップ３が折り曲げられる。蓋板２は、箱体１の上面開口の大分部を覆って前縁フラップ３の板面一部に重ねられる。
【００１９】
一方、前縁フラップ３の開放端には、一定間隔をおいて２か所に前縁フラップ３の前端から突出して鍵部５，５が形成されており、蓋板２の板面には、前縁フラップ３の前端に形成された鍵部５の位置に対応して鍵穴６が２箇所に開口されている。鍵５と鍵穴６との組は、少なくとも１組設けられていれば良いが一定間隔をおいて少なくとも２組以上設けることによってセキュリティがより高まる。
【００２０】
鍵部５は、蓋板２の鍵穴６内に差し込む部分であり、鍵穴６は、蓋板２の板面に開口したスリットである。鍵部５は、その一部を折り曲げて鍵穴６内に差込まれ、材質の有する弾力性によって現状に復元しようとして蓋板２の裏面側に角度を成して立ちあがった部分が鍵穴６からの抜けとめとして作用するものである。
鍵部５は、図４（ａ）に示すように軸５ａと歯形５ｂとからなり、軸５ａは前縁フラップ３の前端に連なって一定の幅でその延長方向に張出した部分であり、歯形５ｂは軸５ａの一側方に一定の長さで鉤形に張出した部分である。
【００２１】
鍵部という名称は、例えば、軸の先端に小さく平坦な矩形上の歯（合い形）がついている例えばスケルトンキーのような古典的な鍵になぞらえたものである。もっとも本発明において鍵部５は、段ボール紙のため、スケルトンキーのように鍵穴５内に差し込んで回転することはできない。そこで本発明においては、歯形５ｂを軸５ａ上に２つ折に折り重ねて鍵穴６内に差込み、段ボール紙の材質の有する弾力性によって蓋板２の裏面側に角度を成して立ち上り、その立上り部分が鍵穴６の開口縁に引っ掛かって鍵穴６からの脱出が阻止されるものである。
【００２２】
図４（ａ）に鍵部５と、鍵部５を差し込む蓋板２の板面に開口した鍵穴６との関係を示す。図４（ａ）において、軸５ａの幅の長さをＬ１、軸５ａから側方に張出した歯形５ｂの長さをＬ２としたときに、鍵穴６のスリットの長さＬは、軸５ａの幅の長さＬ１より長く、軸５ａの幅の長さＬ１と歯形５ｂの長さＬ２の合計の長さ以下（Ｌ１＜Ｌ＜Ｌ１＋Ｌ２）でなければならない。また、図示は略すが鍵穴６のスリットの幅は、歯形５ｂを軸５ａ上に２つ折に折り重ねて差し込むことができるように段ボール紙２枚分の厚さ以上の幅に開口されていることが作業上望ましいが、差込み時にダンボール紙の一部を変形させることによって、スリットの幅は段ボール紙２枚分の厚さ以下であっても歯形５ｂを軸５ａ上に２つ折に折り重ねて鍵穴６のスリット内に差し込むことは可能である。例えば３ｍｍの厚みの段ボール紙を用いたときに、２つ折に折り重ねた６ｍｍの厚みの歯形５ｂと軸５ａとの積層を５ｍｍ幅のスリット内に差し込むことができる。
【００２３】
一方、蓋板２と、箱体１の背面の板面にまたがって箱体開放時に新たな蓋を形成する切り離し可能なミシン目７が形成されている。ミシン目７は、押し開き部分７ａと、開蓋部分７ｂとからなっている。箱体１の背面の板面の中央上部の円弧状の押し開き部分７ａと、円弧状部分の両端につづいて蓋板２の端縁から両側縁に向けて傾斜状に延びる開蓋部分７ｂ，７ｂからなっている。
【００２４】
前記ミシン目７の円弧状の押し開き部分７ａは、箱体１の背面板１１の板面の中央上部に円弧状に形成された部分であり、前記開蓋部分７ｂ、７ｂは、背面板１１の上縁につながる押し開き部分７ａの円弧から蓋板２の板面に続いて形成されているものである。
【００２５】
図２に本発明による宅配便用商品運搬箱の展開図を示す。図２（ａ）において、段ボール紙の裁断により箱の四周壁を形成する背面板１１，左側面板１２，正面板１３及び右側面板１４と、背面板１１に付設したのり代１５が横一列に連なって形成されている。また、背面板１１の上縁には蓋板２が連設され、正面板１３の上端には前縁フラップ３、左右側面板１２，１４の上縁には側縁フラップ４がそれぞれ付設され、さらに背面板１１，左側面板１２，正面板１３及び右側面板１４の下縁にそれぞれ下面形成フラップ１６ａ〜１６ｄが付設されているものである。
【００２６】
組立てに際しては、図２（ｂ）に示すように、まず横一列に連なって四周壁を形成する背面板１１，左側面板１２，正面板１３，右側面板１４および背面板１１に付設したのり代１５を同方向に直角に折り曲げ、のり代１５を右側面板１４の裏面端縁に接着剤で貼り付け、さらに下面形成フラップ１６ａ〜１６ｄを組み合わせて要所を接着して箱体の底を塞ぎ、図３（ａ）に示す宅配便用商品運搬箱に組み立てる。下面形成フラップ１６ａ〜１６ｄを組み合わせフラップ同士を接着して箱底を形成する手法は公知であるため、その説明は省略する。
【００２７】
本発明による宅配便用商品運搬箱を使用するときには、図３（ａ）に示すように蓋板２、前縁フラップ３及び両側縁フラップ４，４を起立あるいは箱体１の外側に開いた状態で依頼を受けた商品Ｍを箱体１内に収容し、ついで図３（ｂ）に示すように、まず左右側面板１２，１４の上縁をヒンジとして両側縁フラップ４，４を箱体１の内側に向けて水平に折り曲げ、次いで図３（ｃ）のように背面板１１の上縁をヒンジとして蓋板２を箱体１の開口側に折り曲げ、次いで両側縁フラップ４，４上に折り重ねて図３（ｄ）のように箱体１の開口を覆い、さらに両鍵部５，５を前縁フラップ３の前端をヒンジとして蓋板２の板面に対し、箱体１に向けて折曲する。
【００２８】
ついで図３（ｅ）のように、鍵部５の歯形５ｂを二つ折に折り曲げて軸５ａに重ね、正面板１３の上縁をヒンジとして前縁フラップ３を蓋板２上に折り曲げ、歯形５ｂを指で押さえて軸５ａの板面に折り重ねたまま前縁フラップ３の板面に開口された鍵穴６内に差し込む。箱体１の上面開口は、図３（ｆ）のように蓋板２で覆われ、さらに蓋板２一部に前縁フラップ３が重ねられる。
【００２９】
軸５ａに歯形５ｂを重ねたまま鍵部５を鍵穴６内を通して蓋板２の裏面側に差し込まれると、歯形５ｂには段ボール紙の有する弾性によって元に戻ろうとする力が働き、歯形５ｂは軸５ａに対して角度をなして立上り、軸５ａを鍵穴６から引き抜こうとしても立上った歯形５ｂの部分が鍵穴５の開口縁に引っ掛かり、これが抜け止めとなって蓋板２がロックされる。
【００３０】
図４（ａ）〜（ｄ）に、鍵穴６内に差し込まれた鍵部５によって蓋板２がロックされる様子を示す。図４（ａ）は、鍵穴６のスリットの正面に鍵５を向き合わせた状態を示している。このとき、鍵部５の歯形５ｂは軸５ａの側方に張出してこのままでは鍵部５を鍵穴６内に差し込むことができない。図４（ｂ）は歯形５ｂを予め定められた折曲線ｈに沿って２つ折りに折曲し、歯形５ｂを軸５ａの板面上に重ね合わせた状態である。
【００３１】
次いで図４（ｃ）のように軸５ａの板面上に重ねた歯形５ｂの表面を指で押さえ、そのまま蓋板２の鍵穴６内を通して蓋板３の裏側に差し込む。歯形５ｂから指を離すと、段ボール紙の有する弾性力によって歯形５ｂは元に戻ろうとして折曲線ｈを軸に角度をなして立ち上がる。図４（ｄ）は歯形５ａが立上り角度９０°を超えて傾斜姿勢に立ち上がった状態を示しているが、歯形５ａの立上り角度は必ずしも９０°を超える必要がなく、鍵穴６のスリットの幅を超えれば歯形５ｂが鍵穴６の開口縁に引っ掛かって鍵部５を鍵穴６内から引き抜くことができない。このように軸５ａに歯形５ｂを重ねたまま鍵部５を鍵穴６内に一旦差し込むと、蓋板２がロックされ、その開放が阻止されるのである。
【００３２】
なお、箱体１を施蓋した状態において、両側縁フラップ４，４は蓋板３を単に支えるだけでなく、箱体１と蓋板３との間に形成される隙間を通して箱体１内の商品に触れたり、或いは商品が見えないようにするためのものである。したがって、各側縁フラップ４は、それぞれ箱体の開口の１／３程度を覆うに必要な張出し長さを確保しておくことが望ましい。また、前縁フラップ３は、その前縁に設けられる鍵部５が箱体１内の商品の妨げにならないようにする必要から張出し幅を短く設定し、箱体の正面板１３にできるだけ近い位置で蓋板２の鍵穴６内に差し込むのが望ましい。
【００３３】
商品が宅配便によって受取人に配送され、受取人が箱体１を開くときには、図５（ａ）に示すように背面板１１の板面の中央上部にミシン目７によって形成された円弧状の押し開き部分７ａを指に力が強くかかる手前側に向け、箱をつかんだまま次いで図５（ｂ）のように押し開き部分７ａを指で内側に押しこむと、押し開き部分７ａが背面板１１から切り離され、そのまま上方に引き上げると、蓋板２に付された傾斜状のミシン目による開蓋部分７ｂによって蓋板の一部が切り開かれ、切り開かれた部分が新たな蓋となってそのまま開蓋部分７ｂが持ち上げられて箱体１の上面が開放される。
【００３４】
箱体１内から商品を取り出したのち、箱を折りたたんで廃棄するが、蓋板２は、係止部５によって背面板につながれたままのため、ばらばらにならずに処分できる。また箱体のロックに粘着テープを使用しないため、本発明による宅配便用商品運搬箱を資材に再利用する場合にも分別などの作業は不要である。
【００３５】
本発明において、箱体１の開口は蓋板２によって開閉されるが、蓋板２を閉じるときには背面板１１の上縁が蓋板２のヒンジとなり、開くときには、正面板１３の上縁がヒンジとなり、開蓋部分７ｂが新たな蓋となって開かれるものである。
【００３６】
また本発明によれば、蓋板２によって箱体１が閉じられた状態では鍵部５が前縁フラップ３の鍵穴６内に差し込まれ、歯形５ｂが抜け止めとなって蓋板２を開くことができないが、無理に鍵部５を鍵穴６内から引き抜いて蓋板２を開こうとしたとき、あるいはミシン目７に沿って蓋板２を切り開いて箱体を開こうとしたときには、箱体が破損し、あるいは箱体に無理な力が加えられたことによる痕跡が残ることによって搬送途中の事故は一目で判定できる。
【００３７】
なお、宅配便の配送伝票Ｓは、蓋板２の板面と、前縁フラップ３の板面とにまたがって貼り付けるのが望ましい。蓋板２の板面と、前縁フラップ３の板面とにまたがって配送伝票Ｓを貼り付けることによって、鍵穴６および蓋板２の板面のミシン目７の一部が配送伝票Ｓの紙面に覆われ、関係者以外は鍵穴５やミシン目７の部分には手を触れることができない。
【産業上の利用可能性】
【００３８】
本発明による宅配便用商品運搬箱は、最近通信販売，ネット販売にて販売されるサプリメント，化粧品，加工食料品を含め各種商品の宅配業務用運搬箱として広く活用することができる。
【符号の説明】
【００３９】
１  箱体、２  蓋板、３  前縁フラップ、４  側縁フラップ、５  鍵部、５ａ  軸、５ｂ歯形、６  鍵穴、７  ミシン目、７ａ押し開き部分、７ｂ  開蓋部分、１１  背面板、１２  左側面板、１３  正面板、１４  右側面板、１５  のり代、１６ａ〜１６ｄ  下面形成フラップ、Ｌ  鍵穴のスリットの長さ、Ｌ１  軸の幅、Ｌ２  歯形の長さ
【図１】
0005898533.tif 000002
【図２】
0005898533.tif 000003
【図３】
0005898533.tif 000004
【図４】
0005898533.tif 000005
【図５】
0005898533.tif 000006